(57)【要約】 【課題】本発明は前記バイオ試料に対する検査を正確に遂行できるようにするバイオ試料採取装置を提供する。【解決手段】このような前記バイオ試料採取装置はハウジング、キャップ及び前記バイオ試料処理液貯蔵部を含む。前記キャップ部は前記ハウジングと脱着可能であるように締結され、前記バイオ試料を採取するための前記バイオ試料採取部が形成される。前記バイオ試料処理液貯蔵部は、前記バイオ試料処理液を貯蔵しており、前記バイオ試料が前記バイオ試料採取部によって採取された後、前記キャップ部が前記ハウジングに締結される時破損されて、前記バイオ試料処理液を前記バイオ試料と混合させるように形成される。【選択図】  図1
2021501900.tif 000002
【特許請求の範囲】
【請求項１】
ハウジングと、
前記ハウジングに脱着可能であるように取り付けられ、バイオ試料を採取するためのバイオ試料採取部を含むキャップ部と、
バイオ試料処理液を貯蔵するバイオ試料処理液貯蔵部であって、前記バイオ試料が採取された後、前記キャップ部が前記ハウジングに締結される時に破損され、該バイオ試料処理液を該バイオ試料と混合させるように形成されたバイオ試料処理液貯蔵部と、
を含むことを特徴とするバイオ試料採取装置。
【請求項２】
前記キャップ部及び前記ハウジングは、夫々互いに対応するネジ山を有し、前記キャップ部は、前記ハウジングに回転によって取り外し可能であり、
前記キャップ部及び前記ハウジングのネジ山には阻止部が形成され、前記バイオ試料が採取前には、該阻止部までのみ該キャップ部と該ハウジングとが締結され、
前記バイオ試料が前記バイオ試料採取部によって採取された後は、前記阻止部を通過して、該キャップ部と該ハウジングとが完全に締結されるように形成されることを特徴とする請求項１に記載のバイオ試料採取装置。
【請求項３】
前記キャップ部は、
ネジ山が形成され前記ハウジングに締結される蓋部と、
上部が前記蓋部の下部に連結され、下部が開放されるシリンダー部と、を含み、
前記バイオ試料採取部は、前記シリンダー部に移動可能に連結され、該シリンダー部外面に沿って上下移動することを特徴とする請求項２に記載のバイオ試料採取装置。
【請求項４】
開放された前記シリンダー部の下部は密閉膜によってカバーされ、前記バイオ試料処理液は該シリンダー部内部に溜められるようにして、前記バイオ試料処理液貯蔵部を構成することを特徴する請求項３に記載の前記バイオ試料採取装置。
【請求項５】
前記バイオ試料採取部はパンチング部を含み、
前記キャップ部及び前記ハウジングが完全に締結されるとき、前記パンチング部が前記密閉膜を打ち抜くことで、前記バイオ試料処理液を前記ハウジング内部に流入させることを特徴とする請求項４に記載のバイオ試料採取装置。
【請求項６】
前記ハウジングの下部は密閉膜によってカバーされ、該ハウジングの下部に前記バイオ試料処理液が溜められて前記バイオ試料液貯蔵部を構成することを特徴とする請求項２に記載のバイオ試料採取装置。
【請求項７】
前記キャップ部及び前記ハウジングが完全に締結されるとき、前記バイオ試料採取部が前記密閉膜を打ち抜くことで、前記バイオ試料処理液を前記ハウジング内部に流入させることを特徴とする請求項６に記載の前記バイオ試料採取装置。
【請求項８】
前記バイオ試料採取部は、前記ハウジングの底面に向かって突出される複数の突出部材を含むことを特徴とする請求項１に記載の前記バイオ試料採取装置。
【請求項９】
前記キャップ部の上面には、ピペットによって打ち抜かれ得るようにピペット流入部が形成されたことを特徴とする請求項１に記載のバイオ試料採取装置。
【請求項１０】
前記ピペット流入部は、互いに交差する少なくとも２個以上の線分領域で、前記キャップ部の厚さを他の領域に比べて薄く形成したことを特徴とする請求項９に記載のバイオ試料採取装置。
【発明の詳細な説明】
【技術分野】
【０００１】
本発明は試料採取装置に関わり、より詳細にはバイオ試料採取装置に関する。
【背景技術】
【０００２】
健康に対する関心度が増加することによって、周辺の多様なバイオ試料を採取して検査する過程が進歩している。下水処理場のスラッジなどを採取して検査する過程だけではなく、食中毒検査のための飲食物のサンプルを採取、健康検診のための大便などのサンプルを採取する検査が進歩している。
【０００３】
このようなバイオ試料は大体的に非衛生的であるので、衛生的な採取のための多様な研究が進行されている。このようなバイオ試料採取のための採取装置として、韓国登録実用新案第２０−０４７３３０７、"大便試料採取機"及び韓国実用新案公報第２０−０００１６１３、"大便試料採取及び検査用容器"などの装置が開示されている。
【０００４】
しかし、このようなバイオ試料採取装置は衛生的採取のみに主眼点を置き、採取後処理に不十分な点があった。例えば、従来のバイオ試料採取装置は、腸内微生物検査のために大便を採取する場合、採取された大便を空気中に露出させることで、採取直後の腸内微生物の分布に変化をもたらすようになる。即ち、腸内微生物は好気性微生物と嫌気性微生物があるが、これらを採取する間に空気に露出されることによって嫌気性微生物と好気性微生物の生存に影響を及ぼし、それらの分布に変化をもたらす。このため、検査まで採取時間が遅滞されるとき、腸内微生物分布及び個体数が変化され、個人の疾病診断及び微生物測定のための正確な検査を難しくするという問題点が発生される。
【発明の概要】
【発明が解決しようとする課題】
【０００５】
従って、本発明はこのような問題点を解決するためのもので、バイオ試料に対する検査をより正確に遂行できるバイオ試料採取装置を提供することにある。
【課題を解決するための手段】
【０００６】
本発明の一実施形態によるバイオ試料採取装置はハウジング、キャップ部及びバイオ試料処理液貯蔵部を含む。前記キャップ部は前記ハウジングと脱着可能であるように締結され、バイオ試料を採取するためのバイオ試料採取部が形成される。前記バイオ試料処理液貯蔵部は、バイオ試料処理液を貯蔵しており、前記バイオ試料が前記バイオ試料採取部によって採取された後、前記キャップ部が前記ハウジングに締結される時に破損され、該バイオ試料処理液を該バイオ試料と混合させるように形成される。
【０００７】
例えば、キャップ部及びハウジングはそれぞれ互いに対応するネジ山が形成され、キャップ部は、ハウジングに回転によって脱付着され、キャップ部及びハウジングのネジ山には阻止部が形成され、バイオ試料の採取前には阻止部までのみ蓋部及びハウジングが締結され、バイオ試料がバイオ試料採取部によって収集された後、蓋部が前記ハウジングに締結される時に、阻止部を通過して、キャップ部及びハウジングが完全に締結されるように形成されてもよい。
【０００８】
この際、前記キャップ部はカバー部及びシリンダー部を含んでいてよい。キャップ部はネジ山が形成されハウジングに締結される。シリンダー部は上部が蓋部の下部に連結され、下部が開放されてもよい。この場合、バイオ試料採取部は、シリンダー部の外面に沿って上下に移動するように締結されてもよい。
【０００９】
また、開放されたシリンダー部の下部は密閉膜によってカバーされ、シリンダー部内部にバイオ試料処理液が溜められてバイオ試料処理液貯蔵部を構成してもよい。
【００１０】
この場合、バイオ試料採取部はパンチング部を含み、キャップ部及び蓋部及びハウジングが完全に締結されるとき、パンチング部が密閉膜に孔を開けることで、バイオ試料処理液をハウジング内部に流入させる。
【００１１】
これとは異なり、ハウジングの下部が密閉膜によってカバーされ、ハウジングの下部にバイオ試料処理液が溜められてバイオ試料処理液貯蔵部を構成してもよい。
【００１２】
この場合、キャップ部及びハウジングが完全に締結されたとき、バイオ試料採取部が密閉膜を打ち抜くことで、バイオ試料処理液をハウジング内部に流入させることができる。
【００１３】
一方、バイオ試料採取部は、ハウジングの下面に向かって突出される複数の突出部材を含んでいてもよい。
【００１４】
また、キャップ部の上面には、ピペットによって打ち抜かれるようにピペット流入部が形成されてもよい。
【００１５】
この際、ピペット流入部は、互いに交差する少なくとも２個以上の線分領域を、キャップ部の厚さを他の領域に比べて薄く形成することで構成される。
【発明の効果】
【００１６】
このように本発明のバイオ試料採取装置は、バイオ試料が採取された後、キャップ部がハウジングに締結される時に破損されて、バイオ試料処理液をバイオ試料と混合させるように形成することで、バイオ試料の検査の正確性を図ることができる。
【００１７】
また、バイオ試料採取前にバイオ試料処理液が使用者に露出されることを防止することで、使用者の安全を図れる。
【００１８】
また、キャップ部及びハウジングのネジ山に阻止部を形成することで、試料採取前にキャップ部がハウジングに完全に締結されてバイオ試料処理液貯蔵部が破損されることを防止することができる。
【００１９】
また、バイオ試料採取部は、ハウジングの下面に向かって突出される複数の突出部材を含む場合、バイオ試料を採取するために、突出部材は下に向かって押さえ、バイオ試料は突出部材の間に保持されるようにすることで、従来のスプーン形式の掬い上げるバイオ試料採取部に比べて衛生的である。また、キャップ部を回転させハウジンに締結させる過程で、バイオ試料処理液とバイオ試料が混ぜられることをより促進させることができる。
【００２０】
また、キャップ部の上面には、ピペットによって打ち抜かれるようにピペット流入部を形成することで、キャップ部の開封なしにバイオ試料を採取することができるようになり、より衛生的な検査が可能である。
【００２１】
また、ピペット流入部を、互いに交差する少なくとも２個以上の線分領域で、キャップ部の厚さを他領域に比べて薄く形成する場合、別途の追加的な工程なしに、キャップ部の成型工程でピペット流入部を形成することができる。
【図面の簡単な説明】
【００２２】
【図１】本発明の例示的な一実施形態によるバイオ試料採取装置の分解断面図である。
【図２】図１で示されたバイオ試料採取装置が、バイオ試料を採取する前に、阻止部までのみキャップ部及びハウジングが締結された状態を示す断面図である。
【図３】図１で示されたバイオ試料採取装置が、バイオ試料を採取した後にキャップ部及びハウジングが締結された状態を示す断面図である。
【図４】図１に示されたバイオ試料採取装置のキャップ部及びハウジングに形成された阻止部を示した概念図である。
【図５】図１に示されたバイオ試料採取装置のキャップ部を示した分解切断斜視図である。
【図６】図１で示されたバイオ試料採取装置のキャップ部を示した分解斜視図である。
【図７】ピペットが挿入される概念を示した斜視図である。
【図８】図７で示されたピペットが挿入されて抽出する過程を進行することを示した断面図である。
【図９】本発明の例示的な他の実施形態によるバイオ試料採取装置を示す分解断面図である。
【図１０】図９に示されたバイオ試料採取装置のキャップ部を示した分解切断斜視図である。
【発明を実施するための形態】
【００２３】
本発明は多様な変更を加えることができ、多様な形態を有することできる。ここでは、特定の実施形態を図面に例示し本文に詳細に説明する。しかし、これは本発明を特定の開示形態に限定するものではなく、本発明の思想及び技術範囲に含まれる全ての変更、均等物乃至代替物を含むこととして理解されるべきである。
【００２４】
第１、第２などの用語は多用な構成要素を説明するのに使用されることがあるが、構成要素は前記用語によって限定解釈されない。前記用語は一つの構成要素を他の構成要素から区別する目的のみとして使用される。例えば、本発明の権利範囲を外れることなく第１構成要素を第２構成要素ということができ、同様に第２構成要素も第１構成要素ということができる。
【００２５】
本出願において使用した用語は単なる特定の実施形態を説明するために使用されたもので、本発明を限定しようとする意図ではない。単数の表現は文脈上明白に示さない限り、複数の表現を含む。本出願において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除しないこととして理解されるべきである。また、ＡとＢが'連結される'、'結合される'という意味はＡとＢが直接的に連結されるか結合すること以外に他の構成要素ＣがＡとＢとの間に含まれてＡとＢが連結されるか結合されることを含むのである。
【００２６】
異なるように定義しない限り、技術的か科学的な用語を含んでここで使用される全ての用語は本発明が属する技術分野で通常の知識を有するものによって一般的理解されるのと同一意味を有する。一般的に使用される辞書に定義されているのと同じ用語は関連技術の文脈上有する意味と一致する意味を有すると解釈され、本出願で明白に定義しない限り、理想的か過度に形式的な意味で解釈されない。また、方法発明に対する特許請求範囲で、各段階が明確に順序に拘束されない限り、各段階はその順序が体外に変わってもよい。
【００２７】
以下、図面を参照して本発明の好適な一実施形態をより詳細に説明する。
【００２８】
図１は本発明の例示的な一実施形態によるバイオ試料採取装置の分解断面図であり、図２は図１で示されたバイオ試料採取装置が、バイオ試料の採取前に阻止部までのみキャップ部及びハウジングが締結された状態を示す断面図である。図３は図１で示されたバイオ試料採取装置が、バイオ試料の採取後にキャップ部及びハウジングが完全に締結された状態を示す断面図であり、図４は図１で示されたバイオ試料採取装置のキャップ部及びハウジングに形成された阻止部を示す概念図であり、図５は図１で示されたバイオ試料採取装置のキャップ部を示す分解切断斜視図である。
【００２９】
図１乃至図５を参照すると、本発明の例示的な一実施形態によるバイオ試料採取装置１００はハウジング１１０、キャップ部１２０及びバイオ試料処理液貯蔵部１３０を含む。
【００３０】
例えば、ハウジング１１０は下部が密閉された円筒形状で形成され、キャップ部１２０は、ハウジング１１０に対応する円筒形状で形成されてもよい。例えば、ハウジング１１０及びキャップ部１２０はプラスチックで形成されてもよい。
【００３１】
キャップ部１２０はハウジング１１０と脱着可能であるように締結され、バイオ試料を採取するためのバイオ試料採取部１２１が形成される。バイオ試料採取部１２１は、例えば、キャップ部１２０の下部に形成され、キャップ部１２０がハウジング１１０に締結されたとき、ハウジング１１０内部に挿入されるように形成されて外部に露出されない。このように、バイオ試料採取部１２１がキャップ部１２０に形成される場合、バイオ試料採取部１２１を別途に形成することに比べて使用が便利である。即ち、キャップ部１２０をハウジング１１０から分離させることでバイオ試料採取部１２１が分離され、バイオ試料採取後、キャップ部１２０をハウジング１１０に締結させる場合、バイオ試料採取部１２１がハウジング１１０内部に入って衛生的である。
【００３２】
一方、キャップ部１２０及びハウジング１１０はそれぞれ互いに対応するネジ山が形成され、キャップ部１２０はハウジング１１０に回転によって脱付着されるように形成される。
【００３３】
バイオ試料処理液貯蔵部１３０は、バイオ試料処理液を貯蔵する。バイオ試料処理液はバイオ試料が診断される際の検査の正確性を図るために、例えば、バイオ試料内部の微生物を全部殺すこともでき、それとは異なって、微生物の活動を中止させることもできる。一方、バイオ試料処理液はその用途によって多様な種類が使用されてもよい。
【００３４】
この際、バイオ試料処理液貯蔵部１３０は、バイオ試料がバイオ試料採取部１２１によって採取された後、キャップ部１２０がハウジング１１０に締結される時に破損され、バイオ試料処理液をバイオ試料と混合させるように形成される。
【００３５】
このように、本発明によるバイオ試料採取装置１００は、バイオ試料が採取された後、キャップ部１２０がハウジング１１０に締結される時、バイオ試料処理液貯蔵部１３０が破損されて、バイオ試料処理液をバイオ試料と混合させるように形成することで、バイオ試料の検査の正確性を図ることができる。例えば、糞の嫌気性微生物と好気性微生物の相対的な消滅及び増殖を抑制することで、嫌気性微生物及び好機性微生物の種類及び分布を正確に把握することができる。
【００３６】
一方、バイオ試料処理液を、例えば、なんの処理もなしにハウジング内部に入れて置く場合、キャップ部１２０の分離の際にバイオ試料処理液が外部に流出されることがあり得る。この場合、バイオ試料処理液が人体に有害なとき、人体に損傷を加えるようになる。しかし、本発明では、バイオ試料が採取された後、キャップ部１２０がハウジング１１０に締結される時、バイオ試料処理液貯蔵部１３０が破損されて、バイオ試料処理液をバイオ試料と混合させるように形成し、バイオ試料採取前にバイオ試料処理液が使用者に露出されることを防止することで、使用者の安全を図れる。
【００３７】
一方、図４で示されるように、キャップ部１２０及びハウジング１１０のネジ山には阻止部１２２が形成されている。図２に示されるように、バイオ試料の採取前には阻止部１２２までのみキャップ部１２０及びハウジング１１０が締結され、バイオ試料がバイオ試料採取部１２２によって採取された後、図３で示されたように、阻止部１２２を通過して、キャップ部１２０及びハウジング１１０が完全に手結される。
【００３８】
阻止部１２２は、例えば、図４に示されたように、線形で形成され、使用者が強くキャップ部１２０を回転させる場合に、破損されるように形成されてもよい。また、阻止部１２２は、丸みを帯びた形状のロッキングステップを有し、ロッキングステップを通過することができるように形成されてもよい。
【００３９】
このように、キャップ部１２０及びハウジング１１０のネジ山に阻止部を形成する場合、試料採取前にキャップ部１２０がハウジング１１０に完全に締結されてバイオ使用処理液貯蔵部１３０が破損されることを防止することができる。
【００４０】
一方、キャップ部１２０は蓋部１２３及びシリンダー部１２４を含んでいてもよい。蓋部１２３にはネジ山が形成されハウジング１１０に締結されてもよい。
【００４１】
シリンダー部１２４は、蓋部１２３の下部に連結される上部を有し、下部が開放されてもよい。例えば、シリンダー部１２４は上部が蓋部１２３と一体に形成されてもよく、別個に形成されて蓋部１２３に締結されてもよい。例えば、シリンダー部１２４は下部が開放された円筒形状に形成してもよい。
【００４２】
また、解放されたシリンダー部１２４の下部は密閉膜１２５によってカバーされ、シリンダー部１２４内部にバイオ試料処理液が溜められてバイオ試料処理液貯蔵部１３０を構成してもよい。
【００４３】
一方、バイオ試料採取部１２１が、シリンダー部１２４の外周面に沿って上下に移動できるように、バイオ試料採取部１２１は、シリンダー部１２４に可動的に締結される。そのために、バイオ試料採取部１２１の上部は、頂上が解放された円筒状に形成され、バイオ試料採取部１２１の下部はハウジングの下面に向かって突出される複数の突出部材１２７を含んでいてもよい。このように、バイオ試料採取部がハウジングの下面に向かって突出される複数の突出部材を含む場合、突出部材はバイオ試料を採取するために垂下し、バイオ試料は突出部材の間に保持され、従来のスプーンによる採取部に比べて衛生面が改善される。また、キャップ部１２０を回転させハウジング１１０に連結させる時、バイオ試料が効率的にバイオ試料処理液と混合されることが可能となる。
【００４４】
一方、バイオ試料採取部１２１はパンチング部１２６を含む。キャップ部１２０及びハウジング１１０が完全に締結される時、バイオ試料採取部１２１がシリンダー部１２４の外面に沿って上昇し、パンチング部１２６が密閉膜１２５を押し抜き、バイオ試料処理液をハウジング１１０内部に流入させることができる。この際、バイオ試料処理液はシリンダー部１２４の外面とバイオ試料採取部１２１の内面との間の隙間を流れる。また、バイオ試料採取部１２１に別途の貫通ホールを形成し、貫通ホールを通じてバイオ試料処理液が流れ出すようにしてもよい。
【００４５】
図６は図１に示されたバイオ試料採取装置のキャップ部を示す分解斜視図であり、図７はピペットが挿入される概念を示す斜視図であり、図８は図７で示されたピペットが挿入されて抽出過程を進行することを示す断面図である。
【００４６】
図６に示すように、キャップ部１２０の上面に、ピペットによって打ち抜かれるピペット流入部１２８が形成されてもよい。より詳細には、ピペット流入部１２８は、キャップ部２０の蓋部１２３の中央部に形成される。
【００４７】
例えば、ピペット流入部１２８は、キャップ部１２０の他の領域に比べて薄い厚みを有する、互いに交差する少なくとも２個以上の線分領域を形成してもよい。即ち、ピペット流入部１２８は図６に示されたように、互いに交差する３個の線分で形成され、３個の線分領域の厚さは他の領域に比べて薄く形成されてピペット流入部１２８を構成してもよい。
【００４８】
また、ピペット流入部１２８は、図７のように、蓋部１２３の他の領域に比して、相対的に薄い厚さを有する円形によって形成してもよい。
【００４９】
しかし、ピペット流入部１２８は、互いに交差する少なくとも２個以上の線分領域で、キャップ部１２０の他の領域よりも相対的に薄く形成することがより望ましい。なぜならば、この場合、ピペットＰが挿入されてバイオ試料を採取した後、及び、ピペットＰがキャップ部１２０から離脱された後、キャップ部１２０の開口領域を最小化することで、バイオ試料の流出を最小化することができるからである。
【００５０】
このように、キャップ部１２０の上面に、ピペットによって押し抜かれるペット流入部１２８を形成する場合、キャップ部１２０の開封を行わないでバイオ試料が採取できるようになって、より衛生的な検査が可能となる。
【００５１】
図９は本発明の例示的な他の実施形態によるバイオ試料採取装置を示す分解断面図であり、図１０は図９で示されたバイオ試料採取装置のキャップ部を示す分解切断斜視図である。図９乃至図１０で示されたバイオ試料採取装置は、前述した実施形態に示されたバイオ試料採取装置と比較して、バイオ試料処理液貯蔵部の構成を除外すると、実質的に同一である。従って、同一または類似した構成要素は同一の参照符号を併記し、重複される説明は省略する。
【００５２】
図９及び図１０を参照すると、本発明の例示的な一実施形態によるバイオ試料採取装置１００は、ハウジング１１０、キャップ部１２０及びバイオ試料処理液貯蔵部１３０を含む。
【００５３】
ハウジング１１０の下部は密閉膜１２５によってカバーされ、ハウジング１１０の下部内にバイオ試料処理液が溜められて、バイオ試料処理液貯蔵部１３０を構成してもよい。
【００５４】
この場合、キャップ部１２０及びハウジング１１０が完全に締結されるとき、キャップ部１２０に形成されたバイオ試料採取部１２１が密閉膜１２５を打ち抜くことで、バイオ試料処理液をハウジング１１０内部に流入させることができる。
【００５５】
上述のように、本発明の実施形態によるバイオ試料採取装置１００は、バイオ試料が採取された後、キャップ部１２０がハウジング１１０に締結される時に破損されて、バイオ試料処理液をバイオ試料と混合させるように形成することで、バイオ試料の検査の正確性を図ることができる。
【００５６】
以上、本発明の実施形態によって詳細に説明したが、本発明はこれに限定されず、本発明が属する技術分野において通常の知識を有する者であれば、本発明の思想と範囲を離れることなく、本発明を修正または変更できる。
【図１】
2021501900.tif 000003
【図２】
2021501900.tif 000004
【図３】
2021501900.tif 000005
【図４】
2021501900.tif 000006
【図５】
2021501900.tif 000007
【図６】
2021501900.tif 000008
【図７】
2021501900.tif 000009
【図８】
2021501900.tif 000010
【図９】
2021501900.tif 000011
【図１０】
2021501900.tif 000012
【国際調査報告】
2021501900.tif 000013
2021501900.tif 000014
2021501900.tif 000015
2021501900.tif 000016